(57)【要約】【課題】本発明は、角壁面が合い接する面に取り付け角隅デットスペースを有効活用するために工夫した物で、キッチンシンク内、浴室、室内、クローゼットなど角隅の合い接する両壁面部に対角線上に取り付けができるように軸の両端に接着具を設け、伸縮機能を取り付け弾力性と湾曲機能を持つ素材を用いて本体軸を湾曲させ、角壁面に沿わせて使用できる、湾曲した物かけ用具を提供する。【解決手段】一対の棒状からなる本体軸Ａ（１）、本体軸Ｂ（２）、の両端に接着具（８ａ、８ｂ）を設け、棒状軸は途中部位に伸縮機能を取り付けるために、本体軸Ａ（１）、本体軸Ｂ（２）、の２つの軸からなるのを特徴で、軸には伸縮機能接合部（３ａ、３ｂ）を設け、その軸の内径を空洞とし、対する軸は空洞に本体軸Ｂ（２）を差し込んで使用する部位を設け、接続機能を持たせた本体軸Ａ（１）或いは本体軸Ｂ（２）を密着させて１本の本体軸として使用できることを特徴とする。【選択図】  図１
2006239324.tif 000002
【特許請求の範囲】
【請求項１】
一対の棒状からなる本体軸Ａ（１）、本体軸Ｂ（２）、の両端に接着具（８ａ、８ｂ）を設け、棒状軸は途中部位に伸縮機能を取り付けるために、本体軸Ａ（１）、本体軸Ｂ（２）、の２つの軸からなるのが特徴で、軸には伸縮機能接合部（３ａ、３ｂ）を設け、その軸の内径を空洞とし、対する軸は空洞に本体軸Ｂ（２）を差し込んで使用する部位を設け、接続機能を持たせた本体軸Ａ（１）あるいは本体軸Ｂ（２）を密着させて１本の本体軸として使用できることを特徴とした湾曲した物かけ用具。
【発明の詳細な説明】
【技術分野】
【０００１】  本発明は、角壁面が合い接する面に取り付け、角隅デットスペースを有効活用するために工夫した物で、キッチンシンク内、浴室、室内、クローゼットなど、角隅の合い接する両壁面部に対角線上に取り付けができるように軸の両端に接着具を設け、伸縮機能を取り付け弾力性と湾曲機能を持つ素材を用いて、本体軸を湾曲させ、角壁面に沿わせて使用できる、湾曲した物かけ用具に関するものである。
【背景技術】
【０００２】  従来、キッチンシンク用品、浴室など水回り小物など物かけ用具として、棒状の両端に吸盤などを設け平面に取り付けて、その軸に物を掛けて使用するものがあった。
先行技術は、つぎに列記したものがある。
１．特開平０８−４７４４８
２．特開平１０−８０３６７
３．特開平２００４−１６５３５
４．実開昭６１−１１２１９６
５．実開昭６３−８５１７５
６．実開平０４−５９７７７
７．実開平０６−３６５４７
８．登録実用  ３０２４７０５
９．実開昭５８−１０５２８４
１０．実開昭６３−９３８８０
などがあるが、本体軸を湾曲させて使用するものはなかった。
【発明の開示】
【発明が解決しようとする課題】
【０００３】  従来の棒状軸からなる物かけ用具は、いずれも形状が一直線になっているため、取り付け使用場所が限定されていた。
平面台上や壁面の平行部にのみ取り付け可能であり、角隅壁面部位等に取り付けることができないために、本体軸に湾曲と伸縮機能を持たせ、いかなる角面にも沿って使えるようにした。【０００４】  本発明の目的は、キッチンシンク内、浴室、クローゼット、室内などの角壁面の三角からなる隅部位の普段使用されないデットスペースを有効利用可能にし、特にキッチン、浴室等水回り用品に使用すると小物類等が常時乾燥状態で衛生的に保つことができ、場所も取らず使い勝手も良い、湾曲した物かけ用具として提供される。
【課題を解決するための手段】
【０００５】  一対の棒状からなる本体軸Ａ（１）、本体軸Ｂ（２）、の両端に接着具（８ａ、８ｂ）を設ける。
棒状軸は、途中部位に伸縮機能を取り付けるために、本体軸Ａ（１）、本体軸Ｂ（２）、の２つの軸からなるのを特徴で、軸には伸縮機能接合部（３ａ、３ｂ）を設ける。
その軸の内径を空洞とし、対する軸は空洞に本体軸Ｂ（２）を差し込んで使用する部位を設ける。
接続機能を持たせた本体軸Ａ（１）あるいは本体軸Ｂ（２）を密着させて１本の本体軸として使用できる。
以上のように構成された湾曲した物かけ用具。
【発明の効果】
【０００６】  マンションなど限られた狭い空間ではキッチンシンクや浴室等の水回り用品など、狭いために整理整頓が難しい悩みがあった。
この湾曲する物かけ用具は、設置するだけで、これまでデットスペースであった空間部位に、物を掛けたり、吊るして使えるコンパクトな収納箇所ができる。
特に、昨今はナイロン製網状の物や布状タワシなど新素材を使用した新商品が市場に多く出回っているために物かけ用具にも多様性が求められる。
この発明は本体軸部位を角壁面に湾曲させながら平行に沿わせて取り付けるので濡れたままの網状タワシ、タオル、布巾等水回り小物類を掛けることができ、また、物干しとしても使える。
従来、使用されているスポンジ、金タワシ、ブラシ類なども、軸に設けた移動も可能なクリップやフックなどで、挟んだり、吊り下げるので、水切れも良く、床面に物が接触することもなく、常に乾燥状態を保てるので衛生的に使用できる。
使い勝手や利便性もあり、また室内クローゼット内の角隅部位までアクセサリー、ネクタイ、バックなどを掛けて有効活用できるなど、これまでになかった新しい発想の湾曲する物かけ用具として提供できた。
【発明を実施するための最良の形態】
【０００７】  以下、本発明の湾曲する物かけ用具について図面を用いて具体的に説明する。
一対の棒状からなる本体軸Ａ（１）、本体軸Ｂ（２）、の両端に接着具（８ａ、８ｂ）を設ける。
棒状軸は、途中部位に伸縮機能を取り付けるために、本体軸Ａ（１）、本体軸Ｂ（２）の２つの軸からなるのが特徴である。
軸には伸縮機能接合部（３ａ、３ｂ）を設け、その軸の内径を空洞とし、対する軸は空洞に本体軸Ｂ（２）を差し込んで使用する部位を設ける。
伸縮機能接合部（３ａ、３ｂ）を持った軸の長さは、約１０ｃｍから約１００ｃｍ、軸部の直径は、約０．５ｃｍから約５ｃｍまでを理想とする。
接続機能を持たせた本体軸Ａ（１）あるいは本体軸Ｂ（２）を密着させて１本の本体軸として使用できる。
その棒状軸部には、様々な形態からなる物を挟むことの出来る用具、物をかける用具、ぶら下げ機能を持つ用具などを取り付け使用可能とし、棒状軸本体には湾曲機能を持たせるためにワイヤー入りや弾力性のある素材で軸を構成し、自由に湾曲させて使用するのが可能である。
図１の本体軸Ａ（１）、本体軸Ｂ（２）は、本体軸の湾曲部（４ａ、４ｂ、４ｃ）のように折り曲げながら伸縮可能接合部（３ａ、３ｂ）を接合させて用いることで、一対の本体軸とし、その本体軸の両端に接着具（８ａ、８ｂ）を取り付けたことで湾曲しながら角壁面に取り付け可能とした。【０００８】  図１の本体軸には伸縮可能接合部（３ａ、３ｂ）を設け、接合させた構造、本体軸Ａ（１）、本体軸Ｂ（２）は目的に合わせて伸縮調整することで適切な長さで角壁面や平面台上に装着設置、取り付け可能とした。【０００９】  図２の伸縮可能接合部（３ａ、３ｂ）は、既存物を設置可能であり、平面台上や壁面に接着する際に、その面に合わせて稼働可能性機能を持たせ、目的に適した接着具（８ａ、８ｂ）を取り付けることで湾曲する物かけ用具を可能とする。【００１０】  図２に示すように、本体軸Ａ（１）、本体軸Ｂ（２）を一対として、たとえば、キッチンシンクの内部に取り付けた際、先ず接着具（８ａ、８ｂ）を目的とする台の一方の平面上（７）に留め置き、本体軸Ａ（１）、本体軸Ｂ（２）は、壁面（５）に平行に沿わせる。
シンク角部位（６）に沿って、本体軸Ａ（１）、本体軸Ｂ（２）は、湾曲され、さらに本体軸を対面壁面まで沿わせて接着具で、合い対する台の平面上に留め置き可能となる。【００１１】  キッチンシンク内壁や台平面上部に留め置いた場合、本体軸を移動させるだけで床面との距離、シンク壁面と軸の平行幅など自由に装置可能とし、様々な物を掛けることができる。
利便性があり、あらゆる角壁面のデットスペースを有効活用できる。【００１２】  本体軸Ａ（１）、本体軸Ｂ（２）は、合成樹脂に限らず軸素材としてスチール、ステンレス、木材など物かけ用具として適用する利用可能なあらゆる素材を用いて形成される。【００１３】  伸縮可能接合部（３ａ、３ｂ）は、本体軸Ａ（１）、本体軸Ｂ（２）左右いずれの箇所にも取り付け可能であり、構造体軸とその設けられた接着具（８ａ、８ｂ）は、左右両側の角壁面箇所等に自由に取り付け可能である。【００１４】  接着具（８ａ、８ｂ）により、角部壁面や平面台上の対角線の両面に取り付け、本体軸部位は角壁面が交わる三角形空間部位では、角に沿って湾曲させ、軸の一部を伸縮させる等角部位デットスペースの形状に合わせて自由に沿わせながら移動させて設置できることも可能にした。
本体軸と壁面部に空間隙間部ができるようにし、本体棒状軸には布巾等を軸に掛けて使用する物かけ用具としての他に回転や移動もできるクリップ用の物かけ具を取り付けて物を挟んで掛けることも可能にし、また、フックなども取り付け小物など複数個数ぶら下げて使用可能にしたことを特徴とする湾曲する物かけ用具とした。
【図面の簡単な説明】
【００１５】
【図１】  本発明の分離した状態を示した説明図である。
【図２】  本発明の説明図である。
【図３】  本発明の使用状態を示した説明図である。
【符号の説明】
【００１６】    １    本体軸Ａ
２    本体軸Ｂ
３ａ  伸縮可能接合部
３ｂ  伸縮可能接合部
４ａ  本体軸の湾曲部
４ｂ  本体軸の湾曲部
４ｃ  本体軸の湾曲部
５    シンク壁面
６    シンク角部位
７    平面台上接着部位
８ａ  接着具
８ｂ  接着具
【図１】
2006239324.tif 000003
【図２】
2006239324.tif 000004
【図３】
2006239324.tif 000005